(57)【要約】【課題】パソコンやデジタルカメラ等の画像処理デバイス等を介在させることなく、ユーザが直接その出力枚数を指定して自動設定させることである。【解決手段】メモリ部１０３に記憶される各画像情報のサムネイル画像と各画像情報のプリント指定情報を入力する入力部とを含むインデックスシートをプリンタ部１０６より印刷させ、該印刷されるインデックスシートを読み取り、該読み取られるインデックスシート画像情報からプリント指定情報エリアの画像を制御部１０１が解析して、メモリ部１０３に記憶される各画像情報に対して該抽出されたプリント指定情報を自動設定するする構成を特徴とする。【選択図】　　　図１
2004025576.tif 000002
【特許請求の範囲】
【請求項１】
所定のメモリ媒体に記憶される画像情報と該画像情報の出力ジョブを設定するジョブ情報を読み取って印刷部よりモノクロまたはカラー画像出力可能な画像処理装置であって、
前記所定のメモリ媒体に記憶される各画像情報のサムネイル画像と各画像情報のプリント指定情報を入力する入力部とを含むインデックスシートを前記印刷部より印刷させるインデックスシート出力手段と、
前記インデックスシート出力手段により印刷されるインデックスシートを読み取る読取り手段と、
前記読取り手段により読み取られるインデックスシートの画像情報からプリント指定情報エリアの画像を解析して、前記所定のメモリ媒体に記憶される各画像情報に対して該抽出されたプリント指定情報を自動設定する設定手段と、
を有することを特徴とする画像処理装置。
【請求項２】
前記プリント指定情報は、プリント枚数，出力用紙サイズ，レイアウト指定等を含むことを特徴とする請求項１記載の画像処理装置。
【請求項３】
前記インデックスシート出力手段は、プリント指定情報エリア位置を特定するためのマーカを出力可能とすることを特徴とする請求項１記載の画像処理装置。
【請求項４】
前記インデックスシート出力手段は、前記所定のメモリ媒体に記憶される各画像情報のサムネイル画像と各画像情報のプリント指定情報を入力する入力部とを含むインデックスシートを前記印刷部よりモノクロ印刷させることを特徴とする請求項１記載の画像処理装置。
【請求項５】
前記所定のメモリ媒体は、デジタルカメラに装着可能なメモリカードであることを特徴とする請求項１記載の画像処理装置。
【請求項６】
前記デジタルカメラに装着可能なメモリカードは、ＤＰＯＦで定義された設定ファイルを記憶可能とすることを特徴とする請求項５記載の画像処理装置。
【請求項７】
所定のメモリ媒体に記憶される画像情報と該画像情報の出力ジョブを設定するジョブ情報を読み取って印刷部よりモノクロまたはカラー画像出力可能な画像処理装置における画像処理方法であって、
前記所定のメモリ媒体に記憶される各画像情報のサムネイル画像と各画像情報のプリント指定情報を入力する入力部とを含むインデックスシートを前記印刷部より印刷させるインデックスシート出力ステップと、
前記インデックスシート出力ステップにより印刷されるインデックスシートを読み取る読取りステップと、
前記読取りステップにより読み取られるインデックスシートの画像情報からプリント指定情報エリアの画像を解析して、前記所定のメモリ媒体に記憶される各画像情報に対して該抽出されたプリント指定情報を自動設定する設定ステップと、
を有することを特徴とする画像処理方法。
【請求項８】
前記プリント指定情報は、プリント枚数，出力用紙サイズ，レイアウト指定等を含むことを特徴とする請求項７記載の画像処理方法。
【請求項９】
前記インデックスシート出力ステップは、プリント指定情報エリア位置を特定するためのマーカを出力可能とすることを特徴とする請求項７記載の画像処理方法。
【請求項１０】
前記インデックスシート出力ステップは、前記所定のメモリ媒体に記憶される各画像情報のサムネイル画像と各画像情報のプリント指定情報を入力する入力部とを含むインデックスシートを前記印刷部よりモノクロ印刷させることを特徴とする請求項７記載の画像処理方法。
【請求項１１】
前記所定のメモリ媒体は、デジタルカメラに装着可能なメモリカードであることを特徴とする請求項７記載の画像処理方法。
【請求項１２】
前記デジタルカメラに装着可能なメモリカードは、ＤＰＯＦで定義された設定ファイルを記憶可能とすることを特徴とする請求項７記載の画像処理方法。
【請求項１３】
請求項７〜１２のいずれかに記載の画像処理方法を実現するプログラムを記憶したことを特徴とするコンピュータが読み取り可能な記憶媒体。
【請求項１４】
請求項７〜１２のいずれかに記載の画像処理方法を実現することを特徴とするプログラム。
【発明の詳細な説明】
【０００１】
【発明の属する技術分野】
本発明は、所定のメモリ媒体に記憶される画像情報と該画像情報の出力ジョブを設定するジョブ情報を読み取って印刷部よりモノクロまたはカラー画像出力可能な画像処理装置および画像処理方法およびコンピュータが読み取り可能な記憶媒体およびプログラムに関するものである。
【０００２】
【従来の技術】
従来、デジタルカメラで撮影し、スマートメディアなどのメモリ媒体に記憶された画像データをプリントする際は、パソコンに画像データを転送してからプリンタに出力するか、専用のデジタルカメラ本体やスマートメディアとの接続可能な専用のプリンタを用いて出力することが主であったが、画像データの他に画像の属性データやプリント時設定などを特定のフォーマットに合わせてスマートメディアに記憶し、プリント時には記憶されたプリントジョブ設定に従ってプリントする技術が開発されている。
【０００３】
【発明が解決しようとする課題】
しかしながら、従来技術で、プリントジョブの設定を作成するためには、操作性の悪いデジタルカメラで入力するか、パソコンを用いる必要があるなど、操作性および必要とする装置構成の点でその作成にコストを要するという問題があった。
【０００４】
本発明は、上記の問題点を解決するためになされたもので、本発明の目的は、所定のメモリ媒体に記憶される各画像情報のサムネイル画像と各画像情報のプリント指定情報を入力する入力部とを含むインデックスシートを前記印刷部より印刷させ、該印刷されるインデックスシートを読み取り、該読み取られるインデックスシート画像情報からプリント指定情報エリアの画像を解析して、前記所定のメモリ媒体に記憶される各画像情報に対して該抽出されたプリント指定情報を自動設定することにより、所定のメモリ媒体に記憶されている画像情報の内容を確認して、パソコンやデジタルカメラ等の画像処理デバイス等を介在させることなく、ユーザが直接その出力枚数を指定して自動設定させることができる利便性に優れた画像処理環境を自在に整備することができる画像処理装置および画像処理方法およびコンピュータが読み取り可能な記憶媒体およびプログラムを提供することである。
【０００５】
【課題を解決するための手段】
本発明に係る第１の発明は、所定のメモリ媒体に記憶される画像情報と該画像情報の出力ジョブを設定するジョブ情報を読み取って印刷部よりモノクロまたはカラー画像出力可能な画像処理装置であって、前記所定のメモリ媒体に記憶される各画像情報のサムネイル画像と各画像情報のプリント指定情報を入力する入力部とを含むインデックスシートを前記印刷部より印刷させるインデックスシート出力手段（図１に示すプリンタ部１０６に相当）と、前記インデックスシート出力手段により印刷されるインデックスシートを読み取る読取り手段（図１に示すスキャナ部１０５に相当）と、前記読取り手段により読み取られるインデックスシートの画像情報からプリント指定情報エリアの画像を解析して、前記所定のメモリ媒体に記憶される各画像情報に対して該抽出されたプリント指定情報を自動設定する設定手段（図１に示す制御部１０１に相当）とを有することを特徴とする。
【０００６】
本発明に係る第２の発明は、前記プリント指定情報は、プリント枚数，出力用紙サイズ，レイアウト指定等を含むことを特徴とする。
【０００７】
本発明に係る第３の発明は、前記インデックスシート出力手段は、プリント指定情報エリア位置を特定するためのマーカを出力可能とすることを特徴とする。
【０００８】
本発明に係る第４の発明は、前記インデックスシート出力手段は、前記所定のメモリ媒体に記憶される各画像情報のサムネイル画像と各画像情報のプリント指定情報を入力する入力部とを含むインデックスシートを前記印刷部よりモノクロ印刷させることを特徴とする。
【０００９】
本発明に係る第５の発明は、前記所定のメモリ媒体は、デジタルカメラに装着可能なメモリカードであることを特徴とする。
【００１０】
本発明に係る第６の発明は、前記デジタルカメラに装着可能なメモリカードは、ＤＰＯＦで定義された設定ファイルを記憶可能とすることを特徴とする。
【００１１】
本発明に係る第７の発明は、所定のメモリ媒体に記憶される画像情報と該画像情報の出力ジョブを設定するジョブ情報を読み取って印刷部よりモノクロまたはカラー画像出力可能な画像処理装置における画像処理方法であって、前記所定のメモリ媒体に記憶される各画像情報のサムネイル画像と各画像情報のプリント指定情報を入力する入力部とを含むインデックスシートを前記印刷部より印刷させるインデックスシート出力ステップ（図６に示すステップ（１）〜（３））と、前記インデックスシート出力ステップにより印刷されるインデックスシートを読み取る読取りステップ（図６に示すステップ（４），（５））と、前記読取りステップにより読み取られるインデックスシートの画像情報からプリント指定情報エリアの画像を解析して、前記所定のメモリ媒体に記憶される各画像情報に対して該抽出されたプリント指定情報を自動設定する設定ステップ（図６に示すステップ（６），（７））とを有することを特徴とする。
【００１２】
本発明に係る第８の発明は、前記プリント指定情報は、プリント枚数，出力用紙サイズ，レイアウト指定等を含むことを特徴とする。
【００１３】
本発明に係る第９の発明は、前記インデックスシート出力ステップは、プリント指定情報エリア位置を特定するためのマーカを出力可能とすることを特徴とする。
【００１４】
本発明に係る第１０の発明は、前記インデックスシート出力ステップは、前記所定のメモリ媒体に記憶される各画像情報のサムネイル画像と各画像情報のプリント指定情報を入力する入力部とを含むインデックスシートを前記印刷部よりモノクロ印刷させることを特徴とする。
【００１５】
本発明に係る第１１の発明は、前記所定のメモリ媒体は、デジタルカメラに装着可能なメモリカードであることを特徴とする。
【００１６】
本発明に係る第１２の発明は、前記デジタルカメラに装着可能なメモリカードは、ＤＰＯＦで定義された設定ファイルを記憶可能とすることを特徴とする。
【００１７】
本発明に係る第１３の発明は、第７〜第１２のいずれかに記載の画像処理方法を実現するプログラムを記憶したコンピュータが読み取り可能な記憶媒体であることを特徴とする。
【００１８】
本発明に係る第１４の発明は、第７〜第１２のいずれかに記載の画像処理方法を実現するプログラムであることを特徴とする。
【００１９】
【発明の実施の形態】
図１は、本発明の一実施形態を示す画像処理装置の構成を説明するブロック図である。
【００２０】
図１において、１０１は制御部で、システムの各部の動作を制御または管理するものであり、例えばマイクロプロセッサおよびその周辺回路（インタフェース等含む）より構成される。
【００２１】
１０２は操作部で、制御部１０１に対して各種の動作を指定するためのものであり、例えばＬＣＤや種々の操作ボタンを備える。メモリ部１０３は、画像データ及びそれに関連するデータを記憶するものである。
【００２２】
なお、メモリ部１０３は、デジタルカメラの画像記憶媒体として用いられるスマートメディアなどのメモリカードや、画像データの入出力Ｉ／Ｆをもつ外部機器自体により構成される。本実施形態では、スマートメディアを用いるものとする。画像データと共に記憶される関連データとしては、各画像の属性データや、プリントジョブの設定などがある。
【００２３】
１０４はメモリ入出力部で、画像データ及びそれに関連するデータをメモリ部１０３から読み取り、メモリ部１０３に書き込むための部分である。１０５はスキャナ部で、原稿を光学的に読み込むものである。
【００２４】
１０６はプリンタ部で、スキャナ部１０５で読み込まれ画像やメモリ部１０３に蓄積された画像を操作部１０２で指定された情報や、メモリ部１０３に記憶されたプリント指定情報に応じて、記録紙にプリントするものである。
【００２５】
１０７は画像認識部で、メモリ部１０３に蓄積されている画像データのインデックスプリントに各画像毎のプリント枚数などの画像データに対するプリントジョブ設定を書き込んだものをスキャナ部１０５で読み取った時に、インデックスプリントに書き込まれたプリントジョブ設定を自動認識するものである。インデックスプリント及びプリントジョブ設定については後述する。
【００２６】
図２は、図１に示したメモリ部１０３に蓄積されている画像データおよびそれに関連するデータの構造を説明する図である。
【００２７】
図２において、２０１はメモリで、基本情報２０２，付加情報２０３，画像情報２０４の３種類のデータが格納されている。基本情報２０２は、画像数や各画像情報の格納されているアドレス情報からなる。
【００２８】
付加情報２０３は、各画像の様々な属性データなどの付加的な情報とともに、格納された画像をプリントするためのプリント指定情報２０５が含まれる。プリント指定情報２０５は、各画像毎にプリントする枚数を表し、これに従って指定した画像を指定した枚数分をプリンタ部１０６からプリント出力することができる。
【００２９】
この情報はデジタルカメラやパソコンなどで作成して書き込まれるか、或いは制御部１０１からメモリ入出力部１０４を介して書き込むことも可能である。ここでは、プリント指定情報としてプリント枚数のみを扱っているが、本発明はこれに限定されるものではなく、用紙サイズ指定、レイアウト指定などより複雑なプリント指定情報を扱うことも可能である。
【００３０】
図３は、図１に示したメモリ部１０３に蓄積されている画像データのインデックスプリントを説明する図である。
【００３１】
図３において、インデックスプリント３０１には、メモリ部１０３に蓄積された画像のうち、全て或いは指定されたデータに関してそのサムネイル画像３０２と、各画像に対するプリント枚数を書き込むプリント指定領域３０３、そして、プリント指定領域の位置を示すプリント指定領域位置マーカ３０４が印刷されている。記録紙上に、サムネイル画像およびプリント指定領域をレイアウトする方法は予め決められており、画像数が多い時には、複数の記録紙にインデックスプリントが行われる。
【００３２】
図４は、図３に示したプリント指定領域３０３の詳細を説明するブロック図である。
【００３３】
図４の（Ａ）に示すプリント指定領域は、メモリ部１０３に蓄積された画像データと１対１に対応する画像ＩＤ情報を印刷した画像ＩＤ領域４０１と、その画像のプリント枚数を指定するためのパターンを印刷したパターン領域４０２（０〜９と、０，１０，２０，……，９０までの数値を入力可能）から構成されている。
【００３４】
本実施形態では、画像ＩＤ領域には、画像ＩＤ情報を表すバーコードデータを印刷し、パターン領域には「０」〜「９９」枚までを指定できるマークシートパターンを印刷している。
【００３５】
図４の（Ｂ）は、図４の（Ａ）に示したマークシートパターン上に画像のプリント枚数として、例えば「１５」枚を指定した場合を示す。この指定は、ユーザがインデックスプリント上の各画像のプリント指定領域内のマークシートパターンに指定枚数を筆記具（例えばペン）で記入（塗り潰し）することにより行うものとする。
【００３６】
図５は、図３に示したインデックスプリント３０１のプリント指定領域に各画像のプリント枚数を記入した記入済みインデックスプリント結果と枚数指定状態を説明する図であり、図５の（Ａ）は図３に示したインデックスプリント３０１のプリント指定領域に各画像のプリント枚数を記入した記入済みインデックスプリント結果に対応し、図５の（Ｂ）は図３に示したインデックスプリント３０１のプリント指定領域に記入された各画像のプリント枚数指定を読み取って生成される画像ＩＤと枚数指定情報とから生成される設定データテーブル例を示す。
【００３７】
スキャナ部１０５では、図５に示す記入済みインデックスプリントをスキャンし、プリント指定領域位置マーカ３０４に基づいて、プリント指定領域の位置を特定し、プリント指定領域内の画像ＩＤ及びプリント枚数を画像認識部１０７により画像認識する。
【００３８】
そして、その認識結果から図５の（Ｂ）に示す画像ＩＤとプリント枚数の対からなるプリントジョブ設定データを作成する。そして、作成されたデータは、操作部１０２に表示され、ユーザがインデックスプリントに記入した枚数指定と認識結果が正しいかどうかの確認をユーザに促す。
【００３９】
さらに、操作部からメモリ１０３への記憶指定が行われると、プリントジョブ設定がメモリ部１０３へ自動的に書き込まれ、プリント指定情報２０５のデータがメモリ２０１上に記憶される。
【００４０】
なお、上記実施形態では、プリント指定情報として各画像のプリント枚数のみを扱っているが、本発明はこれに限定されるものではなく、」出力用紙サイズやレイアウト指定など、より複雑なプリント指定を含めることができることはいうまでもない。
【００４１】
また、プリント枚数などの指定は、マークシート方式に限らず、手書き文字認識によって行えるように構成してもよい。
【００４２】
図６は、本発明に係る画像処理装置におけるデータ処理手順の一例を示すフローチャートであり、インデックスプリントによる枚数自動指定処理手順に対応する。なお、（１）〜（１０）は各ステップを示す。
【００４３】
まず、操作部１０２によりメモリ部１０３に記憶された画像情報に対するインデックスプリント（ＩＤＰ）指示がなされたかどうかを制御部１０１で判断し（１）、インデックスプリント（ＩＤＰ）指示がなされた場合には、メモリ部１０３に記憶された画像情報を読み出して、インデックスプリントシート画像（サムネイル画像）データを生成する（２）。
【００４４】
次いで、インデックスプリントシート（ＩＤＰＳ）をモノクロでプリンタ部１０６より印刷する（３）。なお、インデックスプリントシート（ＩＤＰＳ）には、後述するプリント指定情報領域を特定する処理を簡便化するため、領域位置を特定するマーカも合わせてモノクロ印刷するものとする。
【００４５】
次に、プリンタ部１０６で印刷されたインデックスプリントシート（ＩＤＰＳ）がスキャナ部１０５にセットされて読み取りが指示されているかどうかを判断して（４）、スキャナ部１０５にセットされて読み取りが指示されていると判断した場合には、スキャナ部１０５にセットされたインデックスプリントシート（ＩＤＰＳ）の画像読み取りが終了したかどうかを判断して（５）、読み取りが終了したと判断した場合には、制御部１０１は、読み取られたインデックスプリントシート上のプリント指定情報を所定の認識プログラムを起動して認識処理する（６）。
【００４６】
なお、認識処理は、ＯＣＲ認識であってもいいし、バーコードやマーカの記入位置を読み取って認識するものであってもよい。
【００４７】
次に、制御部１０１が認識したプリント指定情報をプリント出力設定に反映する（７）。なお、この際、ユーザに対して読み取り内容を操作部１０１に表示して、その確認指示を待つ処理を加えることは任意である。
【００４８】
次に、操作部１０２からメモリ部１０３に記憶された画像データのプリント指示を待機して（８）、プリント指示が入力されたと判定した場合は、メモリ部１０３に設定されたジョブ設定と認識されたプリント指定情報中の、例えば出力枚数指定に従い各画像データをプリンタ部１０６から出力する（９）。
【００４９】
そして、指定された枚数分の印刷処理が完了したかどうかを判断して（１０）、完了していない場合には、ステップ（９）へ戻り、完了している場合には、処理を終了する。
【００５０】
以下、図７に示すメモリマップを参照して本発明に係る画像処理装置で読み出し可能なデータ処理プログラムの構成について説明する。
【００５１】
図７は、本発明に係る画像処理装置で読み出し可能な各種データ処理プログラムを格納する記憶媒体のメモリマップを説明する図である。
【００５２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００５３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００５４】
本実施形態における図６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００５５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００５６】
この場合、記憶媒体から読み出されたプログラムコード自体が本発明の新規な機能を実現することになり、そのプログラムコードを記憶した記憶媒体は本発明を構成することになる。
【００５７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００５８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６０】
【発明の効果】
以上説明したように、本発明に係る第１〜第１４の発明によれば、所定のメモリ媒体に記憶される各画像情報のサムネイル画像と各画像情報のプリント指定情報を入力する入力部とを含むインデックスシートを前記印刷部より印刷させ、該印刷されるインデックスシートを読み取り、該読み取られるインデックスシート画像情報からプリント指定情報エリアの画像を解析して、前記所定のメモリ媒体に記憶される各画像情報に対して該抽出されたプリント指定情報を自動設定するので、所定のメモリ媒体に記憶されている画像情報の内容を確認して、パソコンやデジタルカメラ等の画像処理デバイス等を介在させることなく、ユーザが直接その出力枚数を指定して自動設定させることができる利便性に優れた画像処理環境を自在に整備することができる等の効果を奏する。
【図面の簡単な説明】
【図１】本発明の一実施形態を示す画像処理装置の構成を説明するブロック図である。
【図２】図１に示したメモリ部に蓄積されている画像データおよびそれに関連するデータの構造を説明する図である。
【図３】図１に示したメモリ部に蓄積されている画像データのインデックスプリントを説明する図である。
【図４】図３に示したプリント指定領域の詳細を説明するブロック図である。
【図５】図３に示したインデックスプリントのプリント指定領域に各画像のプリント枚数を記入した記入済みインデックスプリント結果と枚数指定状態を説明する図である。
【図６】本発明に係る画像処理装置におけるデータ処理手順の一例を示すフローチャートである。
【図７】本発明に係る画像処理装置で読み出し可能な各種データ処理プログラムを格納する記憶媒体のメモリマップを説明する図である。
【符号の説明】
１０１　制御部
１０２　操作部
１０３　メモリ部
１０４　メモリ入出力部
１０５　スキャナ部
１０６　プリンタ部
１０７　画像認識部
【図１】
2004025576.tif 000003
【図２】
2004025576.tif 000004
【図３】
2004025576.tif 000005
【図４】
2004025576.tif 000006
【図５】
2004025576.tif 000007
【図６】
2004025576.tif 000008
【図７】
2004025576.tif 000009